(57)【要約】【課題】聴覚だけで楽曲の再生位置を正しくかつ容易に指定する。【解決手段】音響装置１００に含まれるシステムコントローラ１０１は、楽曲の再生位置指定処理に際して、仮再生位置Ｓ２（＝Ｓ１＋Ｘ１）を基準とする楽曲の一部再生（＃１０６）と、入力デバイス４００からの戻し通知（Ｂ３）または送り通知（Ｂ４）に応じた仮再生位置Ｓ２へのオフセット付与（＃１０９〜＃１１２）とを適宜繰り返して実施し、入力デバイス４００からの確定通知（Ｂ２）に応じてその時点で設定されている仮再生位置Ｓ２を最終的な再生位置として確定させる（＃１０７、＃１０８）。【選択図】図４
2013218243.tif 000002
【特許請求の範囲】
【請求項１】
システムコントローラを有する音響装置であって、
前記システムコントローラは、楽曲の再生位置指定処理に際して、仮再生位置を基準とする楽曲の一部再生と、入力デバイスからの戻し通知または送り通知に応じた前記仮再生位置へのオフセット付与とを適宜繰り返して実施し、前記入力デバイスからの確定通知に応じてその時点で設定されている前記仮再生位置を最終的な再生位置として確定させることを特徴とする音響装置。
【請求項２】
前記システムコントローラは、楽曲の再生位置指定処理に際して、まず楽曲の再生を開始し、その再生途中で前記入力デバイスからの指定通知に応じて前記仮再生位置の初期値を設定することを特徴とする請求項１に記載の音響装置。
【請求項３】
前記システムコントローラは、楽曲の再生位置指定処理に際して、前記入力デバイスからの確認通知に応じてその時点で設定されている前記仮再生位置を基準とする楽曲の一部再生を実施することを特徴とする請求項１または請求項２に記載の音響装置。
【請求項４】
前記システムコントローラは、前記仮再生位置を始点として楽曲の一部再生を行うことを特徴とする請求項１〜請求項３のいずれか一項に記載の音響装置。
【請求項５】
前記システムコントローラは、前記仮再生位置を終点として楽曲の一部再生を行うことを特徴とする請求項１〜請求項３のいずれか一項に記載の音響装置。
【請求項６】
前記システムコントローラは、楽曲の再生開始位置を指定する際には、前記仮再生位置を始点として楽曲の一部再生を行い、楽曲の再生終了位置を指定する際には、前記仮再生位置を終点として楽曲の一部再生を行うことを特徴とする請求項１〜請求項３のいずれか一項に記載の音響装置。
【請求項７】
前記システムコントローラは、楽曲の通常再生処理中であるのか再生位置指定処理中であるのかに応じて、前記入力デバイスから入力される同一の通知に対して各々異なる処理を実行することを特徴とする請求項１〜請求項６のいずれか一項に記載の音響装置。
【請求項８】
前記システムコントローラは、対象となる楽曲のリピート再生範囲、一部削除範囲、一部抽出範囲、及び、分割位置のいずれかを指定する際に、前記再生位置指定処理を実施することを特徴とする請求項１〜請求項７のいずれか一項に記載の音響装置。
【請求項９】
前記音響装置は、携帯型であることを特徴とする請求項１〜請求項８のいずれか一項に記載の音響装置。
【発明の詳細な説明】
【技術分野】
【０００１】
本発明は、楽曲（演奏、歌唱、会話、環境音など）の再生、録音、編集などを行う音響装置に関する。
【背景技術】
【０００２】
従来の音響装置では、楽曲内の再生位置（例えばＡＢ間リピートの再生開始位置や再生終了位置）をユーザが任意に指定するための手法として、ユーザがその楽曲を実際に聴きながら所望の再生位置が到来するタイミングを見計らってボタンを押下する、といった手法が一般に採用されていた。
【０００３】
なお、上記に関連する従来技術としては、特許文献１及び２を挙げることができる。
【先行技術文献】
【特許文献】
【０００４】
【特許文献１】特許第４３９６５９０号明細書
【特許文献２】特許第４５５６７８９号明細書
【発明の概要】
【発明が解決しようとする課題】
【０００５】
しかしながら、従来の音響装置は、一般に楽曲のスロー再生機能を備えていないので、上記の従来手法を用いて楽曲内の再生位置を指定する場合には、ユーザが等倍速の楽曲を聴きながら適切なタイミングでボタンを押下しなければならなかった。そのため、所望の再生位置が到来したと判断してユーザがボタンを押下しても、楽曲の再生速度が比較的早いので、実際には所望の再生位置より少し進んだ再生位置を指定してしまう場合が多々あり、ユーザが意図する再生位置を正しく指定し難いという問題があった。
【０００６】
なお、従来の音響装置にも、楽曲のスロー再生機能を備えた機種は存在するが、スロー再生の楽曲を聴きながら再生位置を指定する場合には、楽曲の再生速度を遅くした分だけ楽曲の再生時間が長くなり、延いては、再生位置の指定を完了するまでに長時間を要するので、操作性が低下するという別の問題があった。
【０００７】
また、従来の音響装置において、例えば、ある楽曲のサビ開始位置を再生位置として指定したい場合、ユーザは、サビ直前からサビ部分に至るメロディを聴いてサビ開始位置を聴覚的に認識した後、その楽曲をサビ部分よりも前から再生し直して、サビ直前の楽曲部分を聴き終えたタイミングでボタンを押下する、といった一連の操作を行うことになる。このように、上記従来の手法では、所望の再生位置を含む前後の楽曲部分を一度聴いてみないと、所望の再生位置が到来するタイミングを判断し難い場合も多い。
【０００８】
しかしながら、仮にサビ直前の楽曲部分が無音状態や音感上の変化に乏しい状態（流水音など）であった場合には、サビ開始位置を聴覚的に判断することが困難になる。このような場合、ユーザは、楽曲再生時の経過時間から楽曲のサビ開始位置を体感的に推測しなければならず、所望の再生位置を正しく指定することができないという問題があった。
【０００９】
なお、楽曲の再生時間や波形データを表示するためのディスプレイを音響装置に搭載すれば、ユーザはサビ開始位置を視覚的に判断することが可能となる。しかしながら、あまり大きなディスプレイを搭載することのできない音響装置（ポータブルオーディオ機器など）については、視覚的な補助を必要とせずに聴覚だけで楽曲の再生位置を正しくかつ容易に指定することが可能なユーザインタフェイスを実現することが望ましいと言える。
【００１０】
本発明は、本願の発明者により見出された上記の問題点に鑑み、視覚的な補助を必要とせずに聴覚だけで楽曲の再生位置を正しくかつ容易に指定することのできる音響装置を提供することを目的とする。
【課題を解決するための手段】
【００１１】
上記目的を達成するために、本明細書中に開示された音響装置は、システムコントローラを有する音響装置であって、前記システムコントローラは、楽曲の再生位置指定処理に際して、仮再生位置を基準とする楽曲の一部再生と、入力デバイスからの戻し通知または送り通知に応じた前記仮再生位置へのオフセット付与とを適宜繰り返して実施し、前記入力デバイスからの確定通知に応じてその時点で設定されている前記仮再生位置を最終的な再生位置として確定させる構成（第１の構成）とされている。
【００１２】
なお、上記第１の構成から成る音響装置において、前記システムコントローラは、楽曲の再生位置指定処理に際して、まず楽曲の再生を開始し、その再生途中で前記入力デバイスからの指定通知に応じて前記仮再生位置の初期値を設定する構成（第２の構成）にするとよい。
【００１３】
また、上記第１または第２の構成から成る音響装置において、前記システムコントローラは、楽曲の再生位置指定処理に際して、前記入力デバイスからの確認通知に応じてその時点で設定されている前記仮再生位置を基準とする楽曲の一部再生を実施する構成（第３の構成）にするとよい。
【００１４】
また、上記第１〜第３いずれかの構成から成る音響装置において、前記システムコントローラは、前記仮再生位置を始点として楽曲の一部再生を行う構成（第４の構成）にするとよい。
【００１５】
また、上記第１〜第３いずれかの構成から成る音響装置において、前記システムコントローラは、前記仮再生位置を終点として楽曲の一部再生を行う構成（第５の構成）にするとよい。
【００１６】
また、上記第１〜第３いずれかの構成から成る音響装置において、前記システムコントローラは、楽曲の再生開始位置を指定する際には、前記仮再生位置を始点として楽曲の一部再生を行い、楽曲の再生終了位置を指定する際には、前記仮再生位置を終点として楽曲の一部再生を行う構成（第６の構成）にするとよい。
【００１７】
また、上記第１〜第６いずれかの構成から成る音響装置において、前記システムコントローラは、楽曲の通常再生処理中であるのか再生位置指定処理中であるのかに応じて、前記入力デバイスから入力される同一の通知に対して各々異なる処理を実行する構成（第７の構成）にするとよい。
【００１８】
また、上記第１〜第７いずれかの構成から成る音響装置において、前記システムコントローラは、対象となる楽曲のリピート再生範囲、一部削除範囲、一部抽出範囲、及び、分割位置のいずれかを指定する際に、前記再生位置指定処理を実施する構成（第８の構成）にするとよい。
【００１９】
また、上記第１〜第８いずれかの構成から成る音響装置において、前記音響装置は、携帯型である構成（第９の構成）にするとよい。
【発明の効果】
【００２０】
本明細書中の開示によれば、視覚的な補助を必要とせずに聴覚だけで楽曲の再生位置を正しくかつ容易に指定することのできる音響装置を提供することが可能となる。
【図面の簡単な説明】
【００２１】
【図１】音響装置の一構成例を示すブロック図
【図２】音響装置の外観図
【図３Ａ】ＡＢ間リピート再生モード時の動作を示す模式図
【図３Ｂ】一部削除モード時の動作を示す模式図
【図３Ｃ】一部抽出モード時の動作を示す模式図
【図３Ｄ】楽曲分割モード時の動作を示す模式図
【図４】再生位置指定処理の第１動作例を説明するためのフローチャート
【図５Ａ】再生位置指定処理の第１動作例を説明するための模式図（指定通知直後）
【図５Ｂ】再生位置指定処理の第１動作例を説明するための模式図（初回再生）
【図５Ｃ】再生位置指定処理の第１動作例を説明するための模式図（１回戻し）
【図５Ｄ】再生位置指定処理の第１動作例を説明するための模式図（２回戻し）
【図６Ａ】再生位置指定処理の第２動作例を説明するための模式図（指定通知直後）
【図６Ｂ】再生位置指定処理の第２動作例を説明するための模式図（初回再生）
【図６Ｃ】再生位置指定処理の第２動作例を説明するための模式図（１回戻し）
【図６Ｄ】再生位置指定処理の第２動作例を説明するための模式図（２回戻し）
【発明を実施するための形態】
【００２２】
＜音響装置＞
図１は、音響装置の一構成例を示すブロック図である。本構成例の音響装置１００は、システムコントローラ１０１と、システムメモリ１０２と、オーディオメモリ１０３と、オーディオデコーダ１０４と、オーディオＤＡＣ［Digital to Analog Converter］１０５と、ディスプレイコントローラ１０６と、入力デバイスコントローラ１０７と、外部メモリコントローラ１０８と、ディスプレイデバイス３００と、入力デバイス４００と、を有する。ただし、ディスプレイデバイス３００と入力デバイス４００は、リモートコントローラとして音響装置１００に外部接続することも可能である。
【００２３】
また、音響装置１００には、外部デバイスとして、スピーカ２００と、外部メモリデバイス５００が接続されている。ただし、スピーカ２００は、音響装置１００に適宜内蔵することも可能である。
【００２４】
システムコントローラ１０１は、音響装置１００のシステム全体を統括的に管理、制御する装置であり、一般的にはＭＰＵ［Micro Processing Unit］等が該当する。なお、システムコントローラ１０１が実施する各種処理の詳細については後述する。
【００２５】
システムメモリ１０２は、システムコントローラ１０１により実行されるプログラムを不揮発的に格納するＲＯＭ［Read Only Memory］と、プログラムの実行時に生成される作業ファイルや一時ファイルを揮発的に格納するＲＡＭ［Random Access Memory］を含む。
【００２６】
オーディオメモリ１０３は、外部メモリデバイス５００から転送された圧縮オーディオデータ（ＭＰ３［MPEG Audio Layer-3］データやＷＭＡ［Windows(登録商標) Media Audio］データなど）を不揮発的に格納する半導体メモリである。なお、オーディオメモリ１０３としては、ＥＥＰＲＯＭ［Electrically Erasable Programmable ROM］やフラッシュメモリなどを好適に用いることができる。
【００２７】
オーディオデコーダ１０４は、オーディオメモリ１０３から読み出された圧縮オーディオデータを復元し、再生処理が可能なオーディオデータ（音楽情報）に変換する。
【００２８】
オーディオＤＡＣ１０５は、オーディオデコーダ１０４から入力されたオーディオデータに対してデジタル／アナログ変換を行うことにより、オーディオ信号を生成する。
【００２９】
ディスプレイコントローラ１０６は、ディスプレイデバイス３００（ＬＣＤ［Liquid Crystal Display］など）を電気的に制御する。なお、システムによっては、システムコントローラ１０１がディスプレイデバイス３００を直接制御する形態でもよい。
【００３０】
入力デバイスコントローラ１０７は、入力デバイス４００（操作スイッチなど）を電気的に制御する。なお、システムによっては、システムコントローラ１０１が入力デバイスコントローラ１０７を直接制御する形態でもよい。
【００３１】
外部メモリコントローラ１０８は、外部メモリデバイス５００から圧縮オーディオデータを受け取るためのインタフェイス及びコントローラを含む。例えば、外部メモリデバイス５００として半導体メモリカード（ＳＤ［Secure Digital］メモリカードなど）が着脱される場合、外部メモリコントローラ１０８には、ＳＤメモリカードアダプタやＳＤメモリコントローラを含めればよい。また、外部メモリデバイス５００としてパーソナルコンピュータや外付けＨＤＤ［Hard Disk Drive］がＵＳＢ［Universal Serial Bus］接続される場合、外部メモリコントローラ１０８には、ＵＳＢ接続端子やＵＳＢコントローラを含めればよい。
【００３２】
スピーカ２００は、オーディオＤＡＣ１０５より与えられるオーディオ信号に基づいて音声の出力を行う。なお、スピーカ２００の具体的な形状としては、例えばアンプを内蔵した据え置き型の形状でもよいし、ヘッドフォン等の小型で携帯可能な形状でもよい。
【００３３】
ディスプレイデバイス３００は、表示部とドライバ部を含む。ドライバ部は、ディスプレイコントローラ１０６から与えられる制御信号に基づいて表示部の画素電極に駆動電圧を印加する。表示部は、印加された駆動電圧に応じて文字や画像を表示する。
【００３４】
入力デバイス４００は、ボタンやタッチパネルなどを含み、再生指示や音量調整指示などのユーザ操作を受け付けて、その内容をシステムコントローラに伝達する。システムコントローラ１０１は、入力デバイス４００から伝達されるユーザ操作の内容に基づいて、各種の制御処理を実行する。
【００３５】
外部メモリデバイス５００には、圧縮オーディオデータが不揮発的に格納されている。先にも述べたように、音響装置１００には、半導体メモリカード、パーソナルコンピュータ、及び、外付けＨＤＤなどの外部メモリデバイス５００が着脱される。
【００３６】
図２は、音響装置１００の外観図（ポータブルオーディオ機器としての形態）である。本構成例において、スピーカ２００は、着脱型のイヤホンとして音響装置１００の本体に外部接続されている。ディスプレイデバイス３００は、楽曲の再生情報などを表示する小型の液晶パネルであり、音響装置１００の本体に内蔵されている。入力デバイス４００はユーザ操作を受け付ける小型のボタン群であり、音響装置１００本体に内蔵されている。外部メモリデバイス５００としては、パーソナルコンピュータが音響装置１００の本体にＵＳＢ接続されている。
【００３７】
入力デバイス４００は、再生／一時停止ボタン４０１と、停止ボタン４０２と、戻しボタン４０３と、送りボタン４０４と、前トラック選択ボタン４０５と、次トラック選択ボタン４０６と、モード選択ボタン４０７とを含む。
【００３８】
再生／一時停止ボタン４０１は、主として楽曲の再生／一時停止処理を指示するために設けられている。停止ボタン４０２は、主として楽曲の停止処理を指示するために設けられている。戻しボタン４０３は、主として楽曲の戻し処理を指示するために設けられている。送りボタン４０４は、主として楽曲の送り処理を指示するために設けられている。前トラック選択ボタン４０５は、主として前トラック選択処理を指示するために設けられている。次トラック選択ボタン４０６は、主として次トラック選択処理を指示するために設けられている。モード選択ボタン４０７は、音響装置１００の各種動作モード（通常再生モード／ＡＢ間リピート再生モード／一部削除モード／一部抽出モード／楽曲分割モードなど）を切り替えるために設けられている。また、図２では明示されていないが、入力デバイス４００には、音量調節ボタンや電源ボタンなども設けられている。
【００３９】
＜各種動作モード＞
図３Ａは、ＡＢ間リピート再生モード時の動作を示す模式図である。ＡＢ間リピート再生モードでは、ユーザが任意に指定したリピート再生範囲（再生位置Ａ（再生開始位置）と再生位置Ｂ（再生終了位置）との間）で、楽曲がリピート再生される。このＡＢ間リピート再生モードは、例えば、楽曲のサビ部分や語学番組のキーフレーズなどを繰り返して聴きたい場合に使用することができる。
【００４０】
図３Ｂは、一部削除モード時の動作を示す模式図である。一部削除モードでは、ユーザが任意に指定した一部削除範囲（再生位置Ｃ（削除開始位置）と再生位置Ｄ（削除終了位置）との間）で、楽曲の一部が削除される。この一部削除モードは、例えば、ライブ音源を録音した楽曲データから不要な個所を一部削除する場合に使用することができる。
【００４１】
図３Ｃは、一部抽出モード時の動作を示す模式図である。一部抽出モードでは、ユーザが任意に指定した一部抽出範囲（再生位置Ｅ（抽出開始位置）と再生位置Ｆ（抽出終了位置）との間）で、楽曲の一部が抽出される。この一部抽出モードは、例えば、ラジオ番組を録音した楽曲データ（複数の楽曲を含む長時間の楽曲データ）から必要な個所を抽出して保存する場合に使用することができる。
【００４２】
図３Ｄは、楽曲分割モード時の動作を示す模式図である。楽曲分割モードでは、ユーザが任意に指定した再生位置Ｇ（楽曲分割位置）の前後で、楽曲が分割される。この楽曲分割モードは、例えば、ラジオ番組を録音した楽曲データ（複数の楽曲を含む長時間の楽曲データ）を任意の長さ（例えば楽曲ごと）に切り分ける場合に使用することができる。
【００４３】
上記のＡＢ間リピート再生モード、一部削除モード、一部抽出モード、及び、楽曲分割モードでは、再生位置Ａ〜Ｇを任意に指定するためのユーザ操作を入力デバイス４００で受け付け、システムコントローラ１０１による再生位置指定処理を行う必要がある。
【００４４】
再生位置指定処理の詳細については後述するが、この再生位置指定処理を実行するためには、入力デバイス４００からシステムコントローラ１０１に対して、再生位置の指定通知（Ｂ１）、確定通知（Ｂ２）、戻し通知（Ｂ３）、送り通知（Ｂ４）、及び、確認通知（Ｂ５）を伝達する必要がある。ただし、上記の通知Ｂ１〜Ｂ５を行うために専用のボタンを設けると、入力デバイス４００が大型化して携帯性が損われる。
【００４５】
そこで、システムコントローラ１０１は、楽曲の通常再生処理中であるのか再生位置指定処理中であるのかに応じて、入力デバイス４００から入力される同一の通知（同一ボタンの押下）に対して各々異なる処理を実行するように構成されている。
【００４６】
具体的に述べると、楽曲の再生位置指定処理中に再生／一時停止ボタン４０１が押下された場合、システムコントローラ１０１は、この押下を再生位置の指定通知（Ｂ１）ないしは確認通知（Ｂ５）として認識する。また、楽曲の再生位置指定処理中に停止ボタン４０２が押下された場合、システムコントローラ１０１は、この押下を再生位置の確定通知（Ｂ２）として認識する。また、楽曲の再生位置指定処理中に戻しボタン４０３または送りボタン４０４が押下された場合、システムコントローラ１０１は、これらの押下をそれぞれ再生位置の戻し通知（Ｂ３）または送り通知（Ｂ４）として認識する。
【００４７】
このような構成とすることにより、音響装置１００の動作モードに応じて、入力デバイス４００に含まれる各種ボタン４０１〜４０６に複数の機能が割り当てることができるので、入力デバイス４００の大型化を回避することが可能となる。
【００４８】
＜再生位置指定処理＞
図４は、システムコントローラ１０１によって実施される再生位置指定処理の第１動作例を説明するためのフローチャートである。フローが開始されると、ステップ＃１０１では、オフセット時間Ｘ１、確認再生時間Ｘ２、及び、オフセット単位時間Ｘ３の初期設定（例えば、Ｘ１＝０ｍｓ、Ｘ２＝２ｓ、Ｘ３＝３００ｍｓ）が行われる。なお、確認再生時間Ｘ２とオフセット単位時間Ｘ３については、音響装置１００のデフォルト値として予め設定しておいてもよいし、或いは、ユーザが任意の値に設定してもよい。
【００４９】
次に、ステップ＃１０２では、再生位置を設定したい楽曲の再生が開始され、ステップ＃１０３では、入力デバイス４００から再生位置の指定通知（Ｂ１）が伝達されたか否か（再生／一時停止ボタン４０１が押下されたか否か）の判定が行われる。ステップ＃１０３でイエス判定が下された場合にはフローがステップ＃１０４に進められ、ノー判定が下された場合にはフローがステップ＃１０３に戻される。
【００５０】
ステップ＃１０３でイエス判定が下された場合、ステップ＃１０４では、その時点における楽曲の再生位置が初期再生位置Ｓ１として格納される。この初期再生位置Ｓ１は、仮再生位置Ｓ２（＝Ｓ１＋Ｘ１）の初期値に相当する。このように、本構成例の音響装置１００において、システムコントローラ１０１は、楽曲の再生位置指定処理に際して、まず楽曲の再生を開始し、その再生途中で入力デバイス４００からの指定通知（Ｂ１）に応じて仮再生位置Ｓ２の初期値（＝初期再生位置Ｓ１）を設定する。このような構成とすることにより、ユーザは、楽曲を実際に聴きながら目標再生位置Ｓ０が到来するタイミングを見計らって再生／一時停止ボタン４０１を押下することにより、初期再生位置Ｓ１を指定することができる。
【００５１】
なお、従来の方式では、上記の初期再生位置Ｓ１がそのまま最終的な再生位置として確定されるが、今回提案する新方式では、ステップ＃１０４で初期再生位置Ｓ１が格納された後、この初期再生位置Ｓ１を初期値とする仮再生位置Ｓ２（＝Ｓ１＋Ｘ１）の調整処理が実行される。従って、初期再生位置Ｓ１が目標再生位置Ｓ０から多少ずれていても特段問題にはならない。
【００５２】
ステップ＃１０４で初期再生位置Ｓ１が格納された後、ステップ＃１０５では、楽曲の再生動作が一時停止される。
【００５３】
次に、ステップ＃１０６では、仮再生位置Ｓ２（＝Ｓ１＋Ｘ１）を始点として、確認再生時間Ｘ２だけ楽曲の一部再生が行われる。
【００５４】
次に、ステップ＃１０７では、入力デバイス４００から再生位置の確定通知（Ｂ２）が伝達されたか否か（停止ボタン４０２が押下されたか否か）の判定が行われる。ステップ＃１０７でイエス判定が下された場合にはフローがステップ＃１０８に進められ、ノー判定が下された場合にはフローがステップ＃１０９に進められる。
【００５５】
ステップ＃１０７でイエス判定が下された場合、ステップ＃１０８では、その時点で設定されている仮再生位置Ｓ２（＝Ｓ１＋Ｘ１）が最終的な再生位置として格納された後、一連のフローが終了される。
【００５６】
ステップ＃１０７でノー判定が下された場合、ステップ＃１０９では、入力デバイス４００から再生位置の戻し通知（Ｂ３）が伝達されたか否か（戻しボタン４０３が押下されたか否か）の判定が行われる。ステップ＃１０９でイエス判定が下された場合にはフローがステップ＃１１０に進められ、ノー判定が下された場合にはフローがステップ＃１１１に進められる。
【００５７】
ステップ＃１０９でイエス判定が下された場合、ステップ＃１１０では、時間軸上の仮再生位置Ｓ２（＝Ｓ１＋Ｘ１）を現在位置よりもオフセット単位時間Ｘ３だけ早めるように、オフセット時間Ｘ１の更新（Ｘ１←Ｘ１−Ｘ３）が行われる。その後、フローはステップ＃１０６に戻されて、新たな仮再生位置Ｓ２（＝Ｓ１＋Ｘ１）を始点とした楽曲の一部再生が行われる。
【００５８】
ステップ＃１０９でノー判定が下された場合、ステップ＃１１１では、入力デバイス４００から再生位置の送り通知（Ｂ４）が伝達されたか否か（送りボタン４０４が押下されたか否か）の判定が行われる。ステップ＃１１１でイエス判定が下された場合にはフローがステップ＃１１２に進められ、ノー判定が下された場合にはフローがステップ＃１１３に進められる。
【００５９】
ステップ＃１１１でイエス判定が下された場合、ステップ＃１１２では、時間軸上の仮再生位置Ｓ２（＝Ｓ１＋Ｘ１）を現在位置よりもオフセット単位時間Ｘ３だけ遅らせるように、オフセット時間Ｘ１の更新（Ｘ１←Ｘ１＋Ｘ３）が行われる。その後、フローはステップ＃１０６に戻されて、新たな仮再生位置Ｓ２（＝Ｓ１＋Ｘ１）を始点とした楽曲の一部再生が行われる。
【００６０】
なお、オフセット単位時間Ｘ３は、基本的にどのような値に設定しても構わない。ただし、オフセット単位時間Ｘ３を大き過ぎる値に設定してしまうと、戻しボタン４０３または送りボタン４０４を１回押下しただけで仮再生位置Ｓ２が大きく変動してしまうので、ユーザの意図した目標再生位置Ｓ０を正しく指定できなくなるおそれがある。逆に、オフセット単位時間Ｘ３を小さ過ぎる値に設定してしまうと、戻しボタン４０３または送りボタン４０４を１回押下しただけでは仮再生位置Ｓ２が殆ど変動しないので、仮再生位置Ｓ２の変動をユーザが聴覚的に認識できなくなるおそれがある。従って、オフセット単位時間Ｘ３は、仮再生位置Ｓ２の変動をユーザ（人間）が聴覚的に認識し得る最小値またはその近傍値（１００〜５００ｍｓ）に設定することが望ましい。
【００６１】
ステップ＃１１１でノー判定が下された場合、ステップ＃１１３では、入力デバイス４００から再生位置の確認通知（Ｂ５）が伝達されたか否か（再生／一時停止ボタン４０１が再び押下されたか否か）の判定が行われる。ステップ＃１１３でイエス判定が下された場合にはフローがステップ＃１０６に戻されて、現在の仮再生位置Ｓ２（＝Ｓ１＋Ｘ１）を始点とした楽曲の一部再生が行われる。一方、ステップ＃１１３でノー判定が下された場合には、フローがステップ＃１０７に戻されて、ユーザ操作の待ち受けが継続される。
【００６２】
このように、本構成例の音響装置１００において、システムコントローラ１０１は、楽曲の再生位置指定処理に際して、入力デバイス４００からの確認通知（Ｂ５）に応じてその時点で設定されている仮再生位置Ｓ２を基準とする楽曲の一部再生を実施する。このような構成とすることにより、ユーザは、任意のタイミングで仮再生位置Ｓ２の再確認を行うことが可能となる。
【００６３】
図５Ａ〜図５Ｄは、それぞれ、先述した再生位置指定処理の第１動作例を説明するための模式図である。
【００６４】
図５Ａは、ユーザが楽曲を実際に聴きながら目標再生位置Ｓ０が到来するタイミングを見計らって再生／一時停止ボタン４０１を押下した結果、ステップ＃１０４で初期再生位置Ｓ１が格納されたときの様子を示している。
【００６５】
図５Ｂは、ステップ＃０１４で初期再生位置Ｓ１が格納された後、ステップ＃１０６で初めて楽曲の一部再生が行われたときの様子を示している。この時点では、オフセット時間Ｘ１が０ｍｓに設定されているので、仮再生位置Ｓ２（＝Ｓ１＋Ｘ１）は初期再生位置Ｓ１と一致している。従って、図５Ｂでは、初期再生位置Ｓ１を始点として確認再生時間Ｘ２（例えば２ｓ）だけ楽曲の一部再生が行われる。この一部再生を聴いたユーザは、現時点の仮再生位置Ｓ２がユーザの意図する目標再生位置Ｓ０よりも遅れていることを認識することができる。
【００６６】
図５Ｃは、ステップ＃１０９で戻しボタン４０３が押下され、ステップ＃１１０で仮再生位置Ｓ２がオフセット単位時間Ｘ３だけ早められた後、ステップ＃１０６で再び楽曲の一部再生が行われたときの様子を示している。この一部再生を聴いたユーザは、現時点の仮再生位置Ｓ２がユーザの意図する目標再生位置Ｓ０よりも未だ遅れていることを認識することができる。
【００６７】
図５Ｄは、ステップ＃１０９で戻しボタン４０３が再び押下され、ステップ＃１１０で仮再生位置Ｓ２がさらにオフセット単位時間Ｘ３だけ早められた後、ステップ＃１０６で再び楽曲の一部再生が行われたときの様子を示している。この一部再生を聴いたユーザは現時点の仮再生位置Ｓ２がユーザの意図する目標再生位置Ｓ０とほぼ一致していることを認識することができる。従って、図５Ｄの状態に至った時点で停止ボタン４０４を押下することにより、目標再生位置Ｓ０とほぼ一致している仮再生位置Ｓ２を最終的な再生位置として確定させることが可能となる。
【００６８】
なお、図５Ａ〜図５Ｄでは、初期再生位置Ｓ１が目標再生位置Ｓ０よりも遅いタイミングで指定されていた場合であっても、戻しボタン４０３を押下することにより、その遅れを容易かつ適切に補正することができることを例に挙げたが、逆に、初期再生位置Ｓ１が目標再生位置Ｓ０よりも早いタイミングで指定されていた場合には、送りボタン４０４を押下することにより、その進みを容易かつ適切に補正することができる（ステップ＃１１１及び＃１１２を参照）。
【００６９】
また、図５Ｂ〜図５Ｄのいずれの状態であっても、ユーザが現在の仮再生位置Ｓ２を確認したいと思った場合には、再生／一時停止ボタン４０１を再度押下することにより、オフセット時間Ｘ１の更新を行うことなく、現在の仮再生位置Ｓ２を始点とした楽曲の一部再生を行うことが可能である（ステップ＃１１３を参照）。
【００７０】
また、図４及び図５Ａ〜図５Ｄでは、システムコントローラ１０１が仮再生位置Ｓ２を「始点」として楽曲の一部再生を行う構成を例に挙げて説明を行ったが、当該構成は、例えば、図３Ａ〜図３Ｃの再生位置Ａ、Ｃ、Ｅを指定する際に好適であると言える。なぜなら、再生位置Ａ、Ｃ、Ｅは、いずれも各種動作（再生、一部削除、一部抽出）の開始位置を指定するものであり、再生位置Ａ、Ｃ、Ｅに続いて再生される楽曲の一部を聴くことにより、再生位置Ａ、Ｃ、Ｅを正しく指定しやすいと考えられるからである。
【００７１】
一方、図３Ａ〜図３Ｃの再生位置Ｂ、Ｄ、Ｆを指定する際には、図６Ａ〜図６Ｄで示すように、システムコントローラ１０１が仮再生位置Ｓ２を「終点」として楽曲の一部再生を行うように、図４のフロー（特にステップ＃１０６）を変更することが望ましい。なぜなら、再生位置Ｂ、Ｄ、Ｆは、いずれも各種動作（再生、一部削除、一部抽出）の終了位置を指定するものであり、再生位置Ｂ、Ｄ、Ｆに先立って再生される楽曲の一部を聴くことにより、再生位置Ｂ、Ｄ、Ｆを正しく指定しやすいと考えられるからである。
【００７２】
上記のように、本構成例の音響装置１００において、システムコントローラ１０１は、楽曲の再生位置指定処理に際して、仮再生位置Ｓ２（＝Ｓ１＋Ｘ１）を基準とする楽曲の一部再生と、入力デバイス４００からの戻し通知（Ｂ３）または送り通知（Ｂ４）に応じた仮再生位置Ｓ２へのオフセット付与とを適宜繰り返して実施し、入力デバイス４００からの確定通知（Ｂ２）に応じてその時点で設定されている仮再生位置Ｓ２を最終的な再生位置として確定させる。
【００７３】
上記の構成を採用すれば、ユーザは、視覚的な補助を必要とせずに聴覚だけで楽曲の再生位置を確認しながら、直観的な操作を必要最小限だけ行うことにより、意図した再生位置を正しくかつ容易に指定することが可能となる。また、上記の構成であれば、大型のディスプレイや高性能のマイコンを必要としないので、ポータブルオーディオ機器にも容易に実装することができる。
【００７４】
＜その他の変形例＞
なお、上記の実施形態では、本発明の適用対象としてポータブルオーディオ機器を例示して説明を行ったが、本発明の適用対象はこれに限定されるものではなく、楽曲の再生、録音、編集などを行う音響装置全般に広く適用することが可能である。
【００７５】
また、本明細書中に開示されている種々の技術的特徴は、上記実施形態のほか、その技術的創作の主旨を逸脱しない範囲で種々の変更を加えることが可能である。すなわち、上記実施形態は、全ての点で例示であって制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００７６】
本発明は、例えば、ポータブルオーディオ機器の利便性を高めるための技術として利用することが可能である。
【符号の説明】
【００７７】
１００    音響装置（ポータブルオーディオ機器）
１０１    システムコントローラ
１０２    システムメモリ
１０３    オーディオメモリ
１０４    オーディオデコーダ
１０５    オーディオＤＡＣ
１０６    ディスプレイコントローラ
１０７    入力デバイスコントローラ
１０８    外部メモリコントローラ
２００    スピーカ
３００    ディスプレイデバイス
４００    入力デバイス
４０１    再生／一時停止ボタン
４０２    停止ボタン
４０３    戻しボタン
４０４    送りボタン
４０５    前トラック選択ボタン
４０６    次トラック選択ボタン
４０７    モード選択ボタン
５００    外部メモリデバイス
【図１】
2013218243.tif 000003
【図３Ａ】
2013218243.tif 000004
【図３Ｂ】
2013218243.tif 000005
【図３Ｃ】
2013218243.tif 000006
【図３Ｄ】
2013218243.tif 000007
【図４】
2013218243.tif 000008
【図５Ａ】
2013218243.tif 000009
【図５Ｂ】
2013218243.tif 000010
【図５Ｃ】
2013218243.tif 000011
【図５Ｄ】
2013218243.tif 000012
【図６Ａ】
2013218243.tif 000013
【図６Ｂ】
2013218243.tif 000014
【図６Ｃ】
2013218243.tif 000015
【図６Ｄ】
2013218243.tif 000016
【図２】
2013218243.tif 000017